(57)【要約】本発明は、少なくとも２つの摺動可能に配置された打撃片（５、６）とトリガー装置とを有する多銃身の銃のためのロックシステムに関するものであって、トリガー装置は打撃片（５、６）に対応づけられたトリガーロッド（１９、２０）、少なくとも１とのトリガー（２１；６５、６６）および、第１の打撃片のトリガーロッドの操作による第１の射撃の発射後にトリガーをまだ解放されていない第２の射撃片のトリガーロッドと自動的に結合して、トリガー（２１；６５、６６）によってそれを解放するための、切替え機構（４３、４８）を有している。高い機能安全性を有する普遍的に使用可能なロックシステムを形成するために、切替え機構は、銃の長手軸の方向に摺動可能な基体（４３）とそれに回転可能に配置されて、トリガー（２１）によって操作可能なトリガーレバー（４８）を有しており、そのトリガーレバーは打撃片（５、６）の引き締められた状態においてはトリガーロッド（１９、２０）から離れており、兵器の弾性復帰の終了後に初めて、第２の射撃を発射するために、第２の打撃片に属するトリガーロッドと係合する。
2004523723.tif 000002
【特許請求の範囲】
【請求項１】
少なくとも２つの摺動可能に配置された打撃片（５、６）とトリガー装置とを有する多銃身の銃のためのロックシステムであって、前記トリガー装置は打撃片（５、６）に対応づけられたトリガーロッド（１９、２０）、少なくとも１つのトリガー（２１；６５、６６）および、第１の打撃片のトリガーロッドの操作による第１の射撃の発射後にトリガーをまだ解放されていない第２の射撃片のトリガーロッドと自動的に結合して、トリガー（２１；６５、６６）によってそれを解放するための、切替え機構（４３、４８）を有する、前記ロックシステムにおいて、
切替え機構は、銃の長手軸の方向に摺動可能な基体（４３）とそれに回転可能に配置されて、トリガー（２１）によって操作可能なトリガーレバー（４８）を有しており、前記トリガーレバーは打撃片（５、６）の引き締められた状態においてはトリガーロッド（１９、２０）から離れており、兵器の弾性復帰の終了後に初めて、第２の射撃を発射するために、第２の打撃片に属するトリガーロッドと係合することを特徴とする、多銃身の銃のためのロックシステム。
【請求項２】
基体（４３）は、ロック板（４）上に摺動可能に配置されていることを特徴とする請求項１に記載のロックシステム。
【請求項３】
打撃片（５、６）は、ロック板（４）上で銃の長手方向に摺動可能に配置されていることを特徴とする請求項２に記載のロックシステム。
【請求項４】
基体（４３）に、打撃片（５、６）の摺動に従って基体（４３）の前進運動を制御するための切替え部分（５５）が配置されていることを特徴とする請求項１から３のいずれか１項に記載のロックシステム。
【請求項５】
切替え部分（５５）は、くさび形状の押圧片（５６）を有しており、前記押圧片が打撃片（５、６）に添接することを特徴とする請求項４に記載のロックシステム。
【請求項６】
切替え部分（５５）は、中心位置に対して両側へ予め定められた角度量だけ側方へ移動可能であることを特徴とする請求項４または５に記載のロックシステム。
【請求項７】
トリガーレバー（４８）は、トリガー（２１；６５、６６）によって上昇および下降可能な前方の端部（５３）を有しており、前記端部は下降した位置において、第２の射撃を作動させるためにトリガーレバー（１９、２０）と係合可能であることを特徴とする請求項１から６のいずれか１項に記載のロックシステム。
【請求項８】
トリガーレバー（４８）は、トリガー（２１；６５、６６）上に載置されており、かつ
その前方の端部（５３）はばね（５１）によって、下降した位置へ付勢されていることを特徴とする請求項７に記載のロックシステム。
【請求項９】
トリガーが、１トリガー（２１）として形成されていることを特徴とする請求項１から８のいずれか１項に記載のロックシステム。
【請求項１０】
１トリガーとして形成されているトリガー（２１）は、第１の射撃を発射するための銃身を手動で選択するための切替え器（３１、３６）を有していることを特徴とする請求項８に記載のロックシステム。
【請求項１１】
切替え器（３１、３６）は、２つのトリガーロッド（１９、２０）の１つを操作するための２つの平行なウェブ（３６）を備えた、トリガー（２１）内で側方に摺動可能な切替えボタン（３１）を有していることを特徴とする請求項１０に記載のロックシステム。
【請求項１２】
切替えボタン（３１）に、ロック板（４）に設けられた中央ウェブ（４０）と協働する、２つの射撃の同時発射を阻止するための安全リブ（３７）が配置されていることを特徴とする請求項１１に記載のロックシステム。
【請求項１３】
トリガーレバー（４８）に、射撃の意図しない作動を阻止するための安全装置（６９、７０、７１）が付設されていることを特徴とする請求項１から１２のいずれか１項に記載のロックシステム。
【請求項１４】
トリガーレバー（４８）に付設された安全装置（６９、７０、７１）は、スライダ（６９）を介して変位可能なＬ字状の安全レバー（７０）からなり、前記安全レバーの脚によってトリガーレバー（４８）がブロッキング可能であることを特徴とする請求項１３に記載のロックシステム。
【発明の詳細な説明】
【技術分野】
【０００１】
本発明は、請求項１の上位概念に記載の多銃身の銃のためのロックシステムに関する。
【背景技術】
【０００２】
ＤＥ１９７４９２９０Ａ１からは、二銃身の銃のための、この分野に基づくロックシステムが知られている。そこでは、２つの並べて配置され、それぞれ打撃ばねによって付勢された打撃片が、それぞれ阻止レバーによってその引締め位置に保持される。共通のトリガーによって２つの打撃片を連続して解放するために、そのトリガーシートに切替え片が揺動可能にリンク結合されており、その切替え片はトリガーが最初に操作された後にばねによって切替え位置へ移動される。切替え位置においては、前方へ揺動された切替え片によって、トリガーと第２の打撃片に属する阻止レバーとの間に、トリガーが二番目に操作された場合に第２の打撃片を解放するための結合が形成される。いわゆる二重撃ち、すなわち第１の意図した第１の射撃の発射の際に第２の射撃が不用意になされてしまうことを防止するために、遊底ハウジング内に第２の揺動軸を中心に揺動可能な振り子質量が配置されており、その振り子質量は銃の後座運動の際も、次に射手の体から弾性復帰する場合にも、銃が再び静まるまで、切替え片を受動位置に保持する。しかし、この種のロックシステムは、比較的複雑に構成されており、それに応じて高い製造の手間と組立ての手間を必要とする。
【発明の開示】
【発明が解決しようとする課題】
【０００３】
本発明の課題は、普遍的に使用可能であって、かつ高い機能安全性を有する、多銃身の銃のための簡単に組立て可能かつ不感のロックシステムを提供することである。
【課題を解決するための手段】
【０００４】
この課題は、請求項１の特徴を有するロックシステムによって解決される。本発明の好ましい形態と好ましい実施形態は、従属請求項から明らかにされる。
【０００５】
本発明に基づくロックシステムの主要な利点は、簡単に組立て可能であることと、様々なトリガーシステムと組み合わせて普遍的に使用できることにある。それぞれ射手の需要と兵器の使用領域に応じて様々なトリガーシステムを簡単に使用することができる。該当する軸受ピンないし保持ピンを除去して、該当するトリガーを交換するだけで済む。ロックシステムは、さらに、簡単な手動の切替えの可能性を提供するので、自動的な切替えシステムが故障した場合でも、比較的迅速に第２の射撃を発射することができる。それによって機能安全性の改良を達成することができる。２つの打撃片がその引締め位置にある場合に、トリガーレバーおよび切替え質量を形成する基体は、トリガーロッドから分離されている。それによって射撃の不用意な作動に対する高められた安全性が得られる。さらに、ロックシステムは、振動に対してより不感である。
【０００６】
本発明に基づくロックシステムは、大体において兵器の長手方向に摺動可能な部分を有している。従ってロックは、極めてコンパクトに構成することができ、かつ大きいスペースを必要としない。
【発明を実施するための最良の形態】
【０００７】
本発明の他の特殊性と利点は、図面による好ましい実施例の、以下の説明から明らかにされる。
【０００８】
図１は、多銃身の傾倒銃身兵器の遊底ハウジング１を示しており、その中に２つの重ねて配置された銃身のための上方と下方の撃針２と３が軸方向に摺動可能に案内されている。遊底ハウジング１の下側には、ロック板４がそれに配置されたロック部分と共に取り外し可能に取り付けられている。特に図２から明らかなように、ロック板４は、２つの並べて配置されて、傾倒銃身兵器の長手軸に対して平行に摺動可能な打撃片５と６を支持しており、それら打撃片は互いに分離して操作可能である。遊底ハウジング１内には、さらに、図２に破線で示す２つのテンションロッド７と８が配置されており、それらテンションロッドによって２つの打撃片５と６はテンションレバー９と１０を介して、それぞれ図１に示す打撃ばね１１の力に抗して引き戻された引締め位置へ摺動可能である。テンションロッド７と８は、回転リンク１２を中心に遊底ハウジング１に傾倒可能に配置されている（図示されていない）銃身部分が傾倒した場合に後方へ移動されて、その場合に２つの打撃片５と６をテンションレバー９と１０を介して後方へ押圧するように、配置されている。２つの鏡像状に形成されているテンションレバー９と１０は、側方のリンクピン１３を介してロック板４の横孔１４内に揺動可能にリンク結合されている。その前側が斜めにカットされているリンクピン１３は、上方の溝１５を有しており、その溝内へ、ロック板４の対応する切欠き内に配置されている保持片１７の下側に設けられた２つの平行なウェブ１６が嵌入する。それによって２つのテンションレバー９と１０が固定されて、抜け落ちないように確保される。
【０００９】
２つの打撃片５と６の下方において、ロック板４には横ピン１８を中心に回転可能に配置されたレバー形状のトリガーロッド１９と２０が取り付けられており、それらトリガーロッドによってトリガー２１と２つの打撃片５と６の間の結合が形成される。２つのトリガーロッド１９と２０の、それぞれ押圧ばね２２と２３によって上方へ付勢された前端部に、それぞれの打撃片５ないし６をその引き締められた引き戻し位置に保持するための停止部材２４が形成されている。２つの押圧ばね２２と２３は、その下方の端部が保持片１７上に載置され、その上方の端部はトリガーロッド１９ないし２０の下側の対応する孔内に配置されている。このようにして、２つの押圧ばね２２と２３によって、２つのトリガーロッド１９と２０の前方の端部が上方へ付勢されると共に、２つのテンションレバー９と１０を側方に保持するための保持片１７も下方へ押圧される。トリガーロッド１９と２０の後方の端部は、トリガー装置によって操作され、そのトリガー装置は、図１に示す実施例においては、唯一のトリガー２１によって上方と下方の銃身から２つの連続する射撃を発射させるための１トリガーシステムとして形成されている。
【００１０】
図１に示す１トリガーシステムにおいては、図４の側面図に単独で示すトリガー２１は、トリガーシート２５内に、ロック板４を通して横に延びる軸受ピン２７を収容するために並べて配置された３つの前方の横孔２６と、トリガー運動を制限するための保持ピン２９のための後方の透孔２８を有している。３つの並べて配置された横孔２６の１つをトリガー２１のための軸受孔として選択することによって、トリガー力を調節することができる。後方の透孔２８は、保持ピン２９よりも大きい直径を有しており、かつトリガー２１の移動可能性を制限する。小さいトリガーばね３０によって、トリガー２１はその前方の初期位置へ押圧される。
【００１１】
図４に示すように、トリガーシート２５内の前方の横孔２６と後方の透孔２８の間には、凹部３１が設けられており、その凹部内に切替えボタン３２が側方へ摺動可能に配置されている。切替えボタン３２内には、前方の孔３３が形成されており、その孔内にばねで付勢された係止ボール３４が収容されている。凹部３１の内側に、２つの並べて配置されたボール収容部３５が設けられており、そのボール収容部内へ、切替えボタン３２を２つの切替え位置に保持するための係止ボール３４が嵌入することができる。
【００１２】
図６に正面で示す切替えボタン３２は、上方へ張り出す２本の平行なウェブ３６を有しており、それらウェブを介して選択的に一方または他方の打撃片に属するトリガーロッド１９または２０が上方または下方の銃身から射撃を作動させるために操作可能である。切替えボタン３２を適切に摺動させることによって、トリガー２１によってまず上方の銃身が発射されるか、あるいは下方の銃身が発射されるかを選択することができる。２つのウェブ３６の間には、さらに中央の安全リブ３７が上方へ突出しており、その機能は以下で詳細に説明する。
【００１３】
図７には、側方へ摺動可能な切替えボタン３２の様々な切替え位置が示されている。左側に示す切替え位置においては、切替えボタン３２はトリガー２１に対して右へ突出している。この位置において、右のウェブ３６がトリガーロッド２０の後方の部分と接触し、左のウェブ３６はトリガーロッド１９から予め定められた側方の間隙ｂで隔たって、トリガーロッド１９の下側の側方の溝３８内へ嵌入する。この位置においてトリガー２１が１回目に操作されると、右のウェブ３６を介してトリガーロッド２０の後方の端部が持ち上げられる。その場合にトリガーロッド２０の前方の端部に配置されている停止部材２４が打撃片６を解放するので、この打撃片は打撃ばね１１の張力によって下方の銃身に属する撃針９を打撃することができる。それに対して切替えボタン３２の左のウェブ３６は、トリガー２１が操作された場合にトリガーロッド１９と接触しないので、上方の銃身はトリガー２１の第１の操作においては発射されない。それに対して第１の射撃を他方の銃身から発射させようとする場合には、切替えボタン３２を図７の中央に示す他の切替え位置へ移動させることができる。その場合に左のウェブ３６はトリガーロッド１９と接触し、右のウェブ３６は他のトリガーロッド２０と接触しない。その場合にトリガー２１を最初に操作すると、トリガーロッド１９の後方の端部が切替えボタン３２の左のウェブ３６によって持ち上げられ、右のウェブ３６はトリガーロッド２０から側方の間隙ｂ１をもって離れて、トリガーロッド２０の下側の側方の溝３８内へ嵌入する。それによって打撃片５は、上方の銃身から射撃を発射するために解放される。
【００１４】
ウェブ３６とトリガーロッド１９ないし２０との間の接触箇所は、はっきりさせるために図７に符号Ｘで示されている。切替えボタン３２が誤って、係止ボール３４とボール収容部３５によて予め定められた右または左の切替え位置ではなく、図７の右側に示す中間位置にきた場合には、２本のウェブ３６の間に配置された安全リブ３７が、ロック板４内の中間ウェブ４０の、図８にも見られる狭い領域３９に添接する。それによってトリガー２１は阻止されるので、２つの銃身の同時発射を防止することができる。中央ウェブ４０は、２つの細長いスリット４１の間に配置されており、そのスリットを通してトリガーシート２５の上方の部分が突出する。それに対して切替えボタン３２の右と左の切替え位置においては、中央ウェブ３７は、中央ウェブ４０に設けられた右または左の切欠き４２内へ嵌入するので、トリガー２１を操作することができる。
【００１５】
第１の射撃後に、一方の銃身から他方の銃身へ自動的に切替えるために、２つの打撃片５と６の下方には、図１と３に示す切替え機構が配置されており、その切替え機構は図１０と１１に別々に示す部分を有している。切替え機構は、２つの打撃片５と６の下方に配置されたフォーク形状の基体４３を有しており、その基体は下方のガイド部分４４を介して傾倒銃身兵器の長手方向に摺動可能にロック板４上で案内されている。下方のガイド部分４４は、ロック板４の対応する切欠き４５内に摺動可能に配置されている。
【００１６】
特に図１０と１１から明らかなように、フォーク形状の基体４３の２つの平行な脚４６と４７の間に、トリガーレバー４８が横ピン４９を中心に回転可能にリンク結合されている。トリガーレバー４８の上側に配置されている袋孔５０内にばね５１が配置されており、そのばねは図１に示すようにその上方の端部においてガイドピン５２を介して打撃片５と６の下側に支持されている。ばね５１を介してトリガーレバー４８の前方の端部５３が、トリガーシート２５の２つの平行な後方のウェブ５４に対して押圧され、それらウェブは図４と５ではもっとよく見ることができる。基体４３の上側で、後方の端部に上方へ突出するくさび形状の押圧片５６を有するプレート形状の切替え部分５５が、予め定められた角度量だけ両側へ摺動可能に配置されている。切替え部分５５は、ほぼ円形の前方の端部５７を有しており、その端部は、基体４３の上側上の凹部５８の対応する形状の部分内で回転可能に案内されている。切替え部分５５を側方へ摺動させるために、凹部５８は後方へ向かってくさび形状に拡幅されている。くさび形状の押圧片５６を介して、基体４３とトリガーレバー５８の位置が打撃片５と６の位置に従って、以下で詳細に説明するように、定められる。基体４３の貫通した長手孔５９内に、コイルばね６０が配置されており、そのコイルばねは２つの端部側のガイド片を介してトリガーレバー４８の後ろ側と図９に参照符号６１で示す、ロック板４の背壁に支持される。
【００１７】
二銃身の傾倒銃身兵器のための上述したロックシステムは、以下のように機能する：
【００１８】
引締め位置において、本発明に基づくロックシステムの上述した部分は、図１から３に示す位置を占める。２つの打撃片５と６は、それぞれのトリガーロッド１９と２０によってその引き戻された位置に保持される。基体４３とそれにリンク的に取り付けられたトリガーレバー４８も、打撃片５と６の後ろ側に添接する、切替え部分５５のくさび形状の押圧片５６によって引き戻された位置に保持される。この位置において、トリガーレバー４８の前方の端部５３は、図３に示すように、トリガーレバー１９と２０の後方の突片状の突出部６３ないし６４から予め定められた距離ｅだけ離れている。従ってこの引締め位置においては、トリガーレバー４８とトリガーロッド１９および２０との間に直接的な結合は存在しない。
【００１９】
トリガー２１が操作されると、それぞれ切替えボタン３２の位置に従ってまず右または左のトリガーロッド１９または２９の後方の端部が切替えボタン３２のウェブ３６によって持ち上げられ、トリガーロッド１９ないし２０の前方の端部に設けられた停止部材２４が付属の打撃片５または６を解放する。切替えボタン３２が、たとえば図７において中央に示す位置にある場合には、トリガー２１が最初に操作された場合に打撃片５が上方の銃身から射撃を発射させるために解放される。この打撃片が打撃ばね１１の作用を受けて前方へ移動すると、約２．５°両側へ揺動可能な切替え部分５５が、図１３の上方の表示から明らかなように、側方へ変位する。それに対して切替えボタン３２が他の切替え位置にある場合には、トリガー２１が最初に操作された場合に、まず打撃片６が下方の銃身から射撃を発射するために解放される。その場合に切替え部分５５は他方の側へ変位し、それが図１３の下方の表示に示されている。切替え部分５５が打撃片の１つ５または６の前進運動に基づいて側方へ変位した場合に、基体４３もコイルばね６０の作用を受けて図１２に示すように前方へ移動することができるので、トリガーレバー４８の前方の端部５３は、まだ解放されていない打撃片に属するトリガーロッドの突片状の突出部６３または６４の下へ達することができる。それが、図１３に参照符号ａないしｅで示されている。その後トリガー２１が２回目に操作されると、他方のトリガーロッドの後方の端部がトリガーレバーによって持ち上げられ、それによって第２の銃身から射撃を発射させるために打撃片が解放される。
【００２０】
意図された第１の射撃の発射後に銃の後座移動と弾性復帰の間に、第２の射撃の意図しない発射を防止する機構を、以下で、第１の射撃を発射させるためにトリガー２１を操作する際の本発明に基づくロックシステムの状態を示す図９を用いて説明する。トリガー２１の操作によって、トリガーロッド１９の後方の端部が切替えボタン３２のウェブ３６によって持ち上げられ、前方の端部に配置されている停止部材２４が打撃片５を解放する。同時にトリガーシート２５の後方のウェブ５４上に載置されたトリガーレバー４８も上方へ揺動される。打撃ばね１１の引き締めによって、打撃片が撃針の方向へ前方に移動される。切替え部分５５を介して解放された基体４３とそれに揺動可能に配置されているトリガーレバー４８も、コイルばね６０によって前方へ押し出される。トリガー２１が操作されている間、トリガーレバー４８の前方の端部５３は、もちろん他方のトリガーロッド２０の突片状の突出部６３の下方へは達せず、その後方の端縁に圧接される。この位置において、第２の打撃片６は、解放されることはできない。
【００２１】
射撃が発射される場合に、射手へ向かう後座力が発生し、それによって銃は後方へ移動される。基体４８の質量慣性に基づいて、トリガーレバー４８の前方の端部５３はさらにトリガーロッド２０の後方の端縁に圧着されたままとなるので、銃の後座運動の間前方の端部は、射撃指がトリガーから離れ、トリガー２１がばね３０によって前方へ移動した場合でも、突出部６３の下方へは達することはできない。
【００２２】
後座運動の終了後に銃が射手の肩から前方へ弾性復帰する場合に、トリガー２１が射撃指に激突し、意図せずに操作される危険がある。しかし、トリガー２１が操作される場合に、同時にトリガーレバー４８が持ち上げられ、それによって前方の端部５３がトリガーロッドの突出部６３の下方へ入り込むことが防止される。弾性復帰が終了してトリガー２１がその初期位置へ来た場合に初めて、トリガーレバー４８の前方の端部５３が第２の射撃の発射のために該当するトリガーロッド１９ないし２０の突出部６３ないし６４の下方へ達することができる。
【００２３】
上述したロックシステムは、１トリガーのためだけに定められてはいない。他のトリガーシステムと組み合わせても使用することができ、様々なトリガーシステム間で迅速な交換が可能である。図１４と１５には、本発明に基づくロックシステムが、いわゆる２コンビトリガーと組み合わせて示されている。この形態においては、前方のトリガー６５と後方のトリガー６６が設けられており、その各々によって２つの銃身を操作することができる。図１５から明らかなように、トリガーロッド１９は、後方のトリガー６６の上方へ突出するトリガーシート６７上に載置されている。他のトリガーロッド２０は、前方のトリガー６５の同様に上方へ突出するトリガーシート６８上に載置されている。２つのトリガーロッド１９と２０は、常に２つのトリガー６５と６６に接触しており、それが参照符号Ｘで示唆されている。このトリガーシステムにおいては、第１の射撃は、前方または後方のトリガーの操作によって発射することができる。第１の射撃の発射後に、上述した切替え機構が自動的に切り替わるので、他の銃身からの次の射撃を再び同一のトリガーによって発射することができる。しかし、必要な場合、あるいは切替え機構が故障した場合には、次の射撃を他のトリガーによって発射することもできる。
【００２４】
様々なトリガーの交換は、容易な方法で行うことができる。ただ軸受ピン２７と保持ピン２９を除去するだけでよい。その後それぞれ必要に応じて他のトリガーを使用することができる。
【００２５】
遊底ハウジング１に、ロックの意図しない解放を防止するための付加的な安全装置が設けられている。この安全装置は、スライダ６９を介して変位可能なＬ字形状の安全レバー７０からなり、その安全レバーは図１に示す安全位置においては、その下方へ突出する脚７１がトリガーレバー４８の前方の端部５３上に添接し、その回転もトリガー２１の操作も阻止する。図１４に示す、スライダ６９の押し戻された位置において、安全レバー７０の下方へ突出する脚７１がトリガーレバーを解放するので、トリガーを操作することができる。
【００２６】
本発明は、上述し、かつ図面に示す実施例に限定されるものではない。本発明は、互いに並べて配置された銃身を有する銃においても、同様な利点をもって使用することができる。上述した、手動の切替え器またはセレクタを有する１トリガーといわゆる２コンビトリガーの他に、セレクタなしの１トリガーまたは２つのノーマルのトリガーを使用することもできる。
【図面の簡単な説明】
【００２７】
【図１】１トリガーとして形成されているトリガーシステムを有する二銃身の傾倒銃身兵器のロックシステムを部分的に断面で示す側面図である。
【図２】図１の矢印Ａ−Ａ方向に見た部分図である。
【図３】切替え機構を有するロック板を示す上面図である。
【図４】切替えボタンを有する、図１に示すワントリガーシステムのトリガーを示す側面図である。
【図５】図４に示すトリガーを切替えボタンなしで示す上面図である。
【図６】図４に示すトリガーの切替えボタンを示す正面図である。
【図７】図１の矢印Ｃ−Ｃの方向にトリガー装置を切替えボタンの様々な位置で示す断面図である。
【図８】トリガーなしでロック板の一部を示す下面図である。
【図９】図１に示すトリガー装置を、上方の銃身からの第１の射撃の発射直後に示している。
【図１０】切替え機構を一部断面で示す側面図である。
【図１１】図１０の切替え機構を示す上面図である。
【図１２】図１に示すトリガー装置を第１の射撃後かつ第２の射撃を発射するための切替えシステムの介入を示している。
【図１３】それぞれ上方または下方の銃身からの第１の射撃の発射後の様々な位置で切替えシステムを示す上面図である。
【図１４】２コンビトリガーとして形成されたトリガー装置を有するロックシステムを示している。
【図１５】図１４の矢印Ｄ−Ｄの方向に示す図である。
【国際公開パンフレット】
2004523723.tif 000003
2004523723.tif 000004
2004523723.tif 000005
2004523723.tif 000006
2004523723.tif 000007
2004523723.tif 000008
2004523723.tif 000009
2004523723.tif 000010
2004523723.tif 000011
2004523723.tif 000012
2004523723.tif 000013
2004523723.tif 000014
2004523723.tif 000015
2004523723.tif 000016
2004523723.tif 000017
2004523723.tif 000018
2004523723.tif 000019
2004523723.tif 000020
2004523723.tif 000021
【国際調査報告】
2004523723.tif 000022
2004523723.tif 000023
2004523723.tif 000024
2004523723.tif 000025